(57)【要約】【課題】  呼吸助力具で睡眠を容易とする無呼吸症候群に関する携帯形簡易呼吸助力具を提供する。【解決手段】  円柱形をなす網目の背凭れ枕１の背後の下部から上面部にかけてファスナー２を設け、網目の背凭れ枕１にベスト３を縫着し、そのベスト３の正面部に結び紐４を設ける。【選択図】      図１2006218254.tif 000003
2006218254.tif 000002
【特許請求の範囲】
【請求項１】
ベスト形の円柱形をなす網目の背凭れ枕（１）の背後の下部から上面部にかけてファスナー（２）を設け、網目の背凭れ枕（１）にベスト（３）を縫着し、そのベスト（３）の正面部に結び紐（４）を設けた無呼吸症候群に関する簡易呼吸助力具。
【請求項２】
ベスト（３）を肩掛帯（５）とした肩掛帯形の請求項１記載の無呼吸症候群に関する簡易呼吸助力具。
【発明の詳細な説明】
【発明の詳細な説明】
【技術分野】
【０００１】  本発明は、ファスナー付網目の背凭れ枕にベストを縫着し、睡眠の際弾力性ある網目の背凭れ枕に背中を凭れさせるもので、背凭れ枕の中に入れる弾力材の量の調節と凭れた時の潰れ加減によって睡眠時の凭れる角度を調整する、これらの睡眠法によって口腔内の軟口蓋の弛緩による舌の沈下や扁桃腺の垂れ下がりを無くし、呼吸を円滑にし、携帯用とした無呼吸症候群簡易呼吸助力具に関する。
【背景技術】
【０００２】  無呼吸症候群に関して医療機関では、手術などの治療法や睡眠の際の大掛かりな器械装置の着用が必要であり、また、無呼吸防止具として過去に見られる背枕に関する文献においても大掛かりなわりに理にはずれ効果が乏しい、また、使い勝手が悪く、さらに、コスト高な文献が多く見られる。（例えば、特公２００２−２２３８９７号広報参照）（特公２００３−１０２５９６号広報参照）。
【発明が解決しようとする課題】
【０００３】  従来の無呼吸症候群に関する医療機関では手術などの治療法が主流であり、また機器の装置による治療法は機器の製作がコスト高で有り、さらに使用の際には大掛かりな使用状態であった。また手術に関しても数年後には体質によって何分かの元に戻る問題点もあり、機器共に高額な医療費も問題であった。また、過去に見られる背枕に関する装置や防止具は大掛かりでありながら効果が乏しく、本発明の真意と成る背凭れ枕または携帯用としてもかけ離れている。
【０００４】  本発明は、今迄上向きの睡眠のため口腔内の軟口蓋の弛緩による舌の沈下や扁桃腺の垂れ下がりが要因として呼吸の道が狭くし、さらに、密着が関与とされ、いびきや無呼吸が発生するものであったが、この状態を簡易呼吸助力具の着用によって即手軽に睡眠の際の呼吸を円滑にすることを目的としたものであり、さらに、低コストの商品化、また旅行、出張の際の無呼吸、いびき等による同室者への迷惑を解消した携帯用の無呼吸症候群簡易呼吸助力具を提供することを目的としたものである。
【課題を解決するための手段】
【０００５】  本発明の請求項１のベスト形の簡易呼吸助力具は、網目の背凭れ枕の背後の下部から上面部にかけてファスナーの付いた円柱形をなす網目の背凭れ枕とベストを縫着し、また、背凭れ枕は固めの弾力性なる枕であり、使用する際には、その網目の背凭れ枕の中に身の回り生活用品（例えばバスタオル、枕、抱き枕、弾力性遊具、等）を挿入し、固めの弾力性を持たせ、即手軽に睡眠の際の呼吸を円滑にすることを目的とし、さらに、網目背凭れ枕は携帯用と成っている。
【０００６】  本発明の請求項２の肩掛帯形の簡易呼吸助力具は、網目背凭れ枕の背後の下部から上面部にかけてファスナーの付いた円柱形をなす網目背凭れ枕に肩掛帯を左右に縫着し、また、背凭れ枕は固めの弾力性なる枕であり、使用する際には、その網目の背凭れ枕の中身に手軽な身の回り生活用品（例えば、バスタオル、枕、抱き枕、弾力性遊具、等）を挿入し、固めの弾力性を持たせ、即手軽に睡眠の際の呼吸を円滑にすることを目的とした網目の背凭れ枕は携帯用と成っている。
【発明を実施するための最良の形態】
【０００７】  発明の実施の形態を実施例にもとづき図面を参照して説明する。【０００８】  図１において示すものは、簡易呼吸助力具のベスト形の斜視図であり、網目の背凭れ枕１は背後の下部から上面部にかけてファスナー２を設けて、網目の背凭れ枕１にベスト３を縫着し、ベスト３の正面部に結び紐４を設けたものであるが、使用の際にファスナー２から網目の背凭れ枕１の中身は身の回り生活用品（例えばバスタオル、枕、抱き枕、弾力性遊具、等）を挿入して固めの弾力素材を使用するものであり、そして網目の背凭れ枕１の中に入れる固めの弾力素材の量の調節と凭れた時の潰れ加減によって睡眠時の凭れる好みの角度が調整される、また睡眠中の本能的な寝返りとされる動きは、背凭れ枕に背中の動きで重みを掛った時の潰れや離れる時の弾力性は網目の無数の孔であるから、網目の背凭れ枕は瞬時の排気排出と成り、睡眠中の本能的とされる横向きや斜め上向きの動きある寝返りで睡眠ができる、さらに、旅行や出張などの際の携帯用では網目の背凭れ枕の中身素材は旅館やホテルのバスタオルなど最適である。【０００９】  図２において示すものは、簡易呼吸助力具の背面図であり、本発明の簡易呼吸助力具は、網目の背凭れ枕の背後の下部から上面部にかけてファスナーの付いた円柱形をなす網目の背凭れ枕とベストを縫着した背面図で、使用する際には、ファスナー部からその網目の背凭れ枕の中に手軽な身の回り生活用品（例えばバスタオル、枕、抱き枕、弾力性遊具、等）を挿入し、固めの弾力性素材を中身とした網目の背凭れ枕であり、また携帯用とした簡易呼吸助力具である。【００１０】  図３において示すものは、簡易呼吸助力具ベスト形の着用した網目の背凭れ枕１とベスト３の縫着状態を示すＡ−Ａの断面図であり、また、網目の背凭れ枕１とベスト３の縫着状態を示す断面図であるが、着用では簡易呼吸助力具が身体の一部と成って固定される、また睡眠時の背凭れ枕に背中の動きで重みを掛った時は楕円形に潰れ、そして、背凭れとなって睡眠が安定される。【００１１】  図４において示すものは、簡易呼吸助力具のベスト形の着用状態を示す参考図であり、円柱形をなす網袋１とベスト３を縫着し、そのベスト３の正面部に結び紐４を設けたもので、簡易呼吸助力具を身体に着用した際に、正面部の結び紐４を結ぶことによって睡眠時の簡易呼吸助力具が固定し安定される。【００１２】  図５に示される実施例では、簡易呼吸助力具のベスト形の使用状態を示す参考図であり、ファスナー２付網目の背凭れ枕１にベスト３を縫着し、さらに正面部に結び紐４を設けたものであるが、使用の際には背凭れ枕に固めの弾力素材を使用するものであり、そして網目の背凭れ枕１の中に入れる固めの弾力素材の量の調節と凭れた時の潰れ加減によって睡眠時の凭れる好みの角度が調整される、また睡眠中の本能的な寝返りとされる動きは、背凭れ枕に背中の動きで重みを掛った時の潰れや離れる時の弾力性は網目の無数の孔であるから、背凭れ枕において瞬時の排気排出と成り、睡眠中の本能的とされる横向きや斜め上向きの動きがある寝返りで睡眠ができる。よって口腔内の軟口蓋の弛緩による舌の沈下や扁桃腺の垂れ下がりを無くし呼吸が円滑になる。【００１３】  図６において示���ものは、簡易呼吸助力具の肩掛帯形の斜視図であり、網目の背凭れ枕１の背後の下部から上面部にかけてファスナー２を設け、網目の背凭れ枕１に肩掛帯５を左右に縫着し、さらに肩掛帯５の正面部に結び紐４を設けたもので、ファスナー２から網目の背凭れ１の中に身の回り生活用品（例えばバスタオル、枕、抱き枕、弾力性遊具、等）を挿入し、網目の背凭れ枕１の中に入れる固めの弾力素材の量の調節と凭れた時の潰れ加減によって睡眠時の凭れる好みの角度が調整される、この肩掛帯形の簡易呼吸助力具の特徴は形態用として適しているもので、たためば下着一枚分のサイズであり、旅行や出張などの際に使用され、そして、網目の背凭れ枕の中身は旅館やホテルのバスタオルなど適される。【００１４】  図７において示すものは、簡易呼吸助力具の肩掛帯形の正面図であり、円柱形をなす網袋１と肩掛帯５を左右に縫着し、その左右の肩掛帯５の正面部に結び紐４を設けたもので、その肩掛帯５の取り付き状態を表す図である。簡易呼吸助力具を身体に着用する際に、正面部の結び紐４で結ぶことによって睡眠時の簡易呼吸助力具が固定し安定される。【００１５】  図８において示すものは、簡易呼吸助力具の肩掛帯形の着用状態を示す正面図であり、網目の背凭れ枕１と肩掛帯５を縫着し、その肩掛帯形の正面部に結び紐４を設けて着用した状態図である。そして、簡易呼吸助力具を身体に着用する際に、正面部の結び紐４で結ぶことによって睡眠時の簡易呼吸助力具が固定され安定される。
【発明の効果】
【００１６】  本発明は、以上説明したように構成されているので、以下に記載されるような効果を奏する。
【００１７】  使用する際には、その網目の背凭れ枕の中身は、固めの弾力性を持たせ、睡眠の際の呼吸を円滑にすることを目的とし、網目背凭れ枕の携帯用と成っている。簡易呼吸助力具の着用で、固めの弾力素材の量の調節と凭れた時の潰れ加減によって睡眠時の凭れる好みの角度が調整される。また、睡眠中の本能的な寝返りとされる動きは、背凭れ枕に背中の動きで重みを掛った時の潰れや離れる時の弾力性は網目の無数の孔であるから、背凭れ枕によって瞬時の排気排出と成り、睡眠中の本能的とされる横向きや斜め上向きの動きがある寝返りで睡眠ができる。そして、熟睡しても絶えず軟口蓋の弛緩による舌の沈下や扁桃腺の重さや垂れ下がりが無くなり呼吸の道が確保される。
【００１８】  簡易呼吸助力具は、たためば下着一枚程度のサイズで形態用でもあるが、平素の私生活においても便利とされるものであり、本発明の簡易呼吸助力具は呼吸の道が絶えず確保され、これまで無呼吸症候群に関して、危険な睡眠、睡眠時の酸素不足による脳障害など解消されるものである。また、たとえ飲酒による無呼吸の悪化、いびきの拡大の症候も簡易形呼吸助力具の着用によって和らげ、無呼吸による危険性、同室宿泊のいびきによる迷惑も解消される。尚、旅行、出張などに携帯しても荷物に成らなく便利とされ、さらに、網目の背凭れ枕の中身は旅館やホテルのバスタオルなど便利とされる。
【図面の簡単な説明】
【図１】ベスト形簡易呼吸助力具の斜視図である。
【図２】ベスト形簡易呼吸助力具の背面図である
【図３】ベスト形簡易呼吸助力具のＡ−Ａの断面図である。
【図４】ベスト形簡易呼吸助力具の着用状態を示す正面図である。
【図５】ベスト形簡易呼吸助力具の使用状態を示す参考図である。
【図６】肩掛帯形簡易呼吸助力具の斜視図である。
【図７】肩掛帯形簡易呼吸助力具の正面図である。
【図８】肩掛帯形簡易呼吸助力具の着用状態を示す正面図である。
【符号の説明】
１．背凭れ枕
２．ファスナー
３．ベスト
４．結び紐
５．肩掛帯
【図１】
2006218254.tif 000004
【図２】
2006218254.tif 000005
【図３】
2006218254.tif 000006
【図４】
2006218254.tif 000007
【図５】
2006218254.tif 000008
【図６】
2006218254.tif 000009
【図７】
2006218254.tif 000010
【図８】
2006218254.tif 000011